【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
水耕植物栽培装置であって、
流体を保持するための容器であって、前記容器が、ベース及びカバーを有し、前記ベースが上縁部を有し、前記カバーが、下縁部及び上部開口部を有し、前記上部開口部は前記下縁部から垂直方向にずれており、前記カバーの前記下縁部は、前記ベースの前記上縁部と取り外し可能に係合することができる、容器と、
中空内部を有する植え付け柱であって、前記植え付け柱は、前記容器のカバー内の前記上部開口部と取り外し可能に係合することができる、植え付け柱と、
前記植え付け柱の前記中空内部に少なくとも部分的に植物を受け入れるために、前記植え付け柱内に画定された少なくとも１つの植え付けポートと、
前記植え付け柱の前記中空内部を通り抜ける導管であって、前記植え付け柱が前記カバー内で前記上部開口と係合しているときに、前記導管は前記容器と流体連通している、導管と、
前記植え付け柱の頂部と取り外し可能に係合することができる流体分配器であって、前記流体分配器が前記植え付け柱の頂部と係合しているときに、前記導管と流体連通している流体分配器と、
前記容器内に位置付けられているポンプと、
前記カバー内で前記ポンプから前記上部開口部まで延在している供給線と、
前記カバー内で、前記上部開口部内に位置付けられ、前記上部開口部から下向きに延在している流体カプラであって、前記植え付け柱が前記カバー内で前記上部開口部と係合しているときに、前記流体カプラは、前記供給線を前記導管に流体連結するように構成されおり、前記流体カプラは前記カバーの前記下縁部より下に延在していない、流体カプラと、を備え、
前記カバーが前記ベースと係合しているとともに、前記流体分配器が前記植え付け柱と係合しているときに、前記流体が、前記容器から前記植え付け柱内の前記導管を通って前記流体分配器に選択的に循環され、前記流体が、向きを変えられて前記植え付け柱の前記中空内部を下り、前記容器に戻される、水耕植物栽培装置。
【請求項２】
前記ベースが前記容器の下部を画定し、前記カバーが前記容器の上部を画定し、前記流体カプラが前記容器の前記下部の中に延在していない、請求項１に記載の装置。
【請求項３】
前記カバーが、
下向きの凹面を備えて前記容器の前記ベースから上方に弓形に延在し、
前記カバーが、変曲線を含み、前記カバーが前記上部開口部に向かって集中するにつれて、前記カバーが、前記変曲線を横切って凹面を変化させる、請求項１に記載の装置。
【請求項４】
前記カバーが、ドーム形状を有する、請求項１に記載の装置。
【請求項５】
前記カバーが、Ｓ字断面を有する、請求項１に記載の装置。
【請求項６】
前記植え付け柱及び前記カバー内の前記上部開口部が、第１の対応する入れ子要素の対及び第２の対応する入れ子要素の対を含む、請求項１に記載の装置。
【請求項７】
複数のローラをさらに備え、前記容器の前記ベースが、前記複数のローラ上に位置付けられている、請求項１に記載の装置。
【請求項８】
前記植え付け柱が、少なくとも第１のモジュール及び第２のモジュールをさらに備え、各モジュールが、
側壁と、
中空内部と、
前記中空内部に少なくとも部分的に植物を受け入れるために、前記側壁内に画定された少なくとも１つの植え付けポートと、
開放上端と、
底壁と、
前記底壁内に画定されている複数の排出孔と、
前記モジュールの前記底壁から前記開放上端まで延在するモジュール導管と、を含み、
前記第１のモジュールの前記底壁が前記第２のモジュールの前記開放上端と取り外し可能に係合するように構成されており、
前記第１モジュールの前記底部壁が、前記第２モジュールの前記開放上端と取り外し可能に係合しているときに、前記第１のモジュールの前記モジュール導管が、前記第２のモジュールの前記モジュール導管と取り外し可能に係合するように構成されている、請求項１に記載の装置。
【請求項９】
前記第１のモジュールの前記底壁及び前記第２のモジュールの前記開放上端が、対応する角度停止要素を含み、前記第１のモジュールの前記底壁が前記第２のモジュールの前記開放上端と取り外し可能に係合しているとき、前記角度停止要素が前記第１のモジュールと前記第２のモジュールとの間の相対回転を防止する、請求項８に記載の装置。
【請求項１０】
前記角度停止要素が、それぞれのモジュールの少なくとも１つの植え付けポートと整列しており、これによって、前記第１のモジュールの前記底壁が前記第２のモジュールの前記開放上端と取り外し可能に係合しているときに、前記第１のモジュールの前記少なくとも１つの植え付けポートが、前記第２のモジュールの前記少なくとも１つの植え付けポートと垂直方向に整列している、請求項９に記載の装置。
【請求項１１】
それぞれのモジュールの前記底壁は、当該底壁を通るモジュール支持ロッド孔を含み、前記第１のモジュールの前記底壁が前記第２のモジュールの前記開放上端と係合しているときに、それぞれのモジュール支持ロッド孔は垂直方向に整列しており、
前記流体分配器の下壁は、前記下壁を通る流体分配器支持ロッド孔を含み、前記流体分配器が前記植え付け柱の前記上部と係合しているときに、前記流体分配器支持ロッド孔はそれぞれのモジュール支持ロッド孔と垂直方向に整列しており、
前記植え付け柱は、それぞれのモジュールの前記モジュール支持ロッド孔及び前記流体分配ロッド孔を通って延在する支持ロッドをさらに備えることにより、前記植え付け柱が前記容器の前記カバーと係合しているときに構造的完全性を提供し、前記流体分配器が、前記植え付け柱の頂部と係合している、請求項８に記載の装置。
【請求項１２】
前記容器の前記ベースが、前記カバーから下向き方向に弓形に延在する側壁を有する、請求項１に記載の装置。
【請求項１３】
前記流体分配器は、前記供給線を前記流体カプラに対して回転させ得る旋回軸受を備える、請求項１に記載の装置。
【請求項１４】
前記カバーは、上に向かって集中して、前記上部開口部を画定する上向き延長部分を形成し、前記上向き延長部分は、植え付け柱が入れ子となる垂直座を形成する、請求項１に記載の装置。
いる、請求項１３に記載の装置。
【請求項１５】
水耕植物栽培装置であって、
流体を保持するための容器であって、前記容器が、ベース及びカバーを有し、前記カバーが、前記ベースから上方に弓形になっており、前記ベースが前記容器の第１の部分を画定し、前記カバーが前記容器の第２の部分を画定する、容器と、
前記カバー内に画定されている上部開口部と、
前記容器の前記カバーの前記上記開口部より上で、互いの上に端部を合わせて積み重ねられた複数の植え付けモジュールであって、それぞれのモジュールが、側壁、中空内部、前記中空内部の中に少なくとも部分的に植物を受け入れるために、前記側壁に画定され、少なくとも１つの植え付けポート、開放上端、前記開放上端と取り外し可能に係合するように構成された底壁、前記底壁に画定された複数の排出孔、前記底壁に画定されたモジュール支持ロッド孔であって、それぞれのモジュールの前記モジュール支持ロッド孔は、互いに前記複数のモジュールの前記モジュール支持ロッド孔と垂直方向に整列している、モジュール支持ロッド孔、及び前記底壁から前記開放上端まで延在するモジュール導管を含み、前記複数のモジュールのそれぞれの前記モジュール導管は、隣接するモジュールの前記モジュールと流体連通して、前記容器と流体連通する植え付け柱導管を形成する、モジュールと、
前記複数の植え付けモジュールの上に位置付けられた流体分配器であって、前記流体分配器は前記導管と流体連通しており、前記流体分配器は、下壁、及び前記下壁に画定される流体分配器支持ロッド孔を含み、前記流体分配器支持ロッド孔は前記複数の植え付けモジュールのそれぞれの前記モジュール支持ロッド孔と垂直方向に整列している、流体分配器と、
前記複数の植え付けモジュールの、前記流体分配器支持ロッド孔、及び前記モジュール支持ロッド孔を通って延在する支持ロッドと、
を備え、
前記流体が、前記容器から前記植え付け柱導管を通って前記流体分配器に選択的に循環され、前記流体が、向きを変えられて前記植え付けモジュールのそれぞれの前記中空内部を下り、前記容器に戻される、水耕植物栽培装置。
【請求項１６】
複数のローラをさらに備え、前記ベースが、前記複数のローラ上に位置付けられている、請求項１５に記載の装置。
【請求項１７】
前記カバーが、前記上部開口部内に位置付けられ、かつ前記容器の前記第２の部分の中に下向きに延在しているが、前記容器の前記第２の部分を超えていない、流体カプラをさらに備える、請求項１５に記載の装置。
【請求項１８】
前記少なくとも１つの植え付けポートの中に位置付けられている少なくとも１つの種子かごをさらに備える、請求項１５に記載の装置。
【手続補正２】
【補正対象書類名】明細書
【補正対象項目名】００１３
【補正方法】変更
【補正の内容】
【００１３】
【図１】本開示の水耕植物栽培装置の一実施形態の斜視図である。
【図２】図１の水耕植物栽培装置の容器の断面図である。
【図３】図１の水耕栽培装置の断面図である。
【図４】図１の水耕栽培装置の分解立体図である。
【図５】図１の水耕植物栽培装置の植え付け柱用モジュールの上面図である。
【図６】図５のモジュールの断面図である。
【図７】導管を上り、植物に対して植え付け柱の空間に入る水の流れを示す、図１の水耕植物栽培装置の部分断面図である。
【図８】植え付け柱と容器との間の接続部を示す、図１の水耕植物栽培装置の部分断面図である。
【図９】図１の水耕植物栽培装置の植え付け柱における２つのモジュールの連結の詳細図である。
【図１０】本発明の種子かごの一実施形態の斜視図である。
【図１１】水耕植物栽培装置のモジュールに挿入された図１０の種子かごの断面図である。
【図１２】ほぼ球形の容器を有する水耕植物栽培システムの別の実施形態の斜視図である。
【図１３】水耕植物栽培システムの追加の実施形態の様々な図を示す。
【図１４】水耕植物栽培システムの追加の実施形態の様々な図を示す。
【図１５】水耕植物栽培システムの追加の実施形態の様々な図を示す。
【図１６】水耕植物栽培システムの追加の実施形態の様々な図を示す。
【図１７】水耕植物栽培システムの追加の実施形態の様々な図を示す。
【図１８】水耕植物栽培システムの追加の実施形態の様々な図を示す。
【図１９】水耕植物栽培システムの追加の実施形態の様々な図を示す。
【図２０】水耕植物栽培システムの追加の実施形態の様々な図を示す。
【図２１】水耕植物栽培システムの追加の実施形態の様々な図を示す。
【図２２】水耕植物栽培システムの追加の実施形態の様々な図を示す。